(57)【要約】【課題】画像処理装置を、条件メニュー画面を通じた設定条件の選択が制限された特別仕様へ容易にカスタマイズできること。【解決手段】特別モードにおいて、条件選択部（８１，Ｐｇ２，Ｐｇ４）は、標準モードでのジョブ条件メニュー画面ｆ１と表示レイアウトが同じ複数の候補条件を含む第２条件メニュー画面ｆ２を表示装置８ｂに表示させる。前記条件選択部（８１，Ｐｇ２，Ｐｇ４）は、操作装置８ａに対する操作に従って前記複数の候補条件の一部を無効条件Ｄ１として選択し、さらに選択された前記無効条件Ｄ１を不揮発性の条件記憶装置８３に記憶させる。前記標準モードにおいて、前記条件選択部（８１，Ｐｇ２，Ｐｇ４）は、前記条件記憶装置８３に記憶された前記無効条件Ｄ１を、前記設定条件として選択可能な対象から除外する。【選択図】図４
2019029822.tif 000002
【特許請求の範囲】
【請求項１】
操作を受け付ける操作装置と、
情報を表示する表示装置と、
動作モードが標準モードであるときに、それぞれ画像処理に関するジョブの条件の候補である複数の候補条件を含む第１条件メニュー画面を前記表示装置に表示させ、前記操作装置に対する操作に従って前記複数の候補条件の一部を設定条件として選択する条件選択部と、
前記設定条件に従って前記ジョブを実行するジョブ処理装置と、
前記操作装置に対して予め定められたモード移行操作が行われた場合に、前記動作モードを前記標準モードから特別モードへ移行させるモード制御部と、を備え、
前記特別モードにおいて、前記条件選択部は、前記第１条件メニュー画面と表示レイアウトが同じ前記複数の候補条件を含む第２条件メニュー画面を前記表示装置に表示させ、前記操作装置に対する操作に従って前記複数の候補条件の一部を無効条件として選択し、さらに選択された前記無効条件を不揮発性の条件記憶装置に記憶させ、
前記標準モードにおいて、前記条件選択部は、前記条件記憶装置に記憶された前記無効条件を、前記設定条件として選択可能な対象から除外する、画像処理装置。
【請求項２】
前記モード移行操作が第１移行操作および第２移行操作を含み、
前記モード制御部は、前記第１移行操作に応じて前記動作モードを第１特別モードへ移行させ、前記第２移行操作に応じて前記動作モードを第２特別モードへ移行させ、
前記第１特別モードにおいて、前記条件選択部は、前記ジョブの条件の項目ごとに、前記操作装置に対する操作によって選択されなかった前記候補条件を前記無効条件として選択し、
前記第２特別モードにおいて、前記条件選択部は、前記項目ごとに、前記操作装置に対する操作によって選択された前記候補条件を前記無効条件として選択する、請求項１に記載の画像処理装置。
【請求項３】
予め不揮発性の登録情報記憶装置に記憶された登録ユーザー情報と前記操作装置または他の情報入力装置を通じて入力される入力ユーザー情報とに基づくユーザー認証処理を実行し、前記ユーザー認証処理が成功した場合にのみ、前記標準モードにおける前記条件選択部による前記設定条件の選択および前記ジョブ処理装置による前記ジョブの実行を許容するユーザー認証部をさらに備え、
前記特別モードにおいて、前記条件選択部は、前記登録ユーザー情報に対応付けて前記無効条件を前記条件記憶装置に記憶させ、
前記標準モードにおいて、前記条件選択部は、成功した前記ユーザー認証処理に対応する前記登録ユーザー情報に対応付けられた前記無効条件を、前記設定条件として選択可能な対象から除外する、請求項１または請求項２に記載の画像処理装置。
【請求項４】
前記標準モードにおいて、前記条件選択部は、前記ジョブの条件の複数の項目の少なくとも一部である特定項目について、前記複数の候補条件から１つの前記設定条件のみを選択することを許容し、
前記特別モードにおいて、前記条件選択部は、前記特定項目について前記複数の候補条件から複数の前記設定条件を選択することを許容する、請求項１から請求項３のいずれか１項に記載の画像処理装置。
【請求項５】
前記ジョブ処理装置が、
それぞれシートを収容可能な複数のシートカセットのいずれか１つから前記シートを送り出し、送り出された前記シートに画像を形成する印刷ジョブを実行する画像形成装置を含み、
前記第１条件メニュー画面における前記複数の候補条件が、
前記印刷ジョブにおける前記シートの送出元の候補であり、前記複数のシートカセットに対応する複数のカセット候補と、
前記印刷ジョブに関する前記複数のカセット候補以外の複数の印刷関連条件と、を含み
前記特別モードにおいて、前記条件選択部は、前記複数のカセット候補と前記複数の印刷関連条件との組み合わせを、前記印刷ジョブに関する前記無効条件として選択する、請求項１から請求項４のいずれか１項に記載の画像処理装置。
【請求項６】
前記標準モードにおいて、前記条件選択部は、前記無効条件がグレーアウトされた前記第１条件メニュー画面を前記表示装置に表示させる、請求項１から請求項５のいずれか１項に記載の画像処理装置。
【請求項７】
前記第２条件メニュー画面は、前記第１条件メニュー画面と表示レイアウトが同じ前記複数の候補条件と、前記動作モードが前記特別モードであることを示すモード通知画像と、を含む、請求項１から請求項６のいずれか１項に記載の画像処理装置。
【発明の詳細な説明】
【技術分野】
【０００１】
本発明は、画像処理装置に関する。
【背景技術】
【０００２】
一般に、プリンター、複写機または複合機などの画像処理装置は、予め複数の候補条件から選択された設定条件に従ってジョブを実行する。前記画像処理装置は、前記複数の候補条件を含む条件メニュー画面を表示装置に表示させ、操作装置に対する操作に従って前記設定条件を選択する（例えば、特許文献１参照）。
【先行技術文献】
【特許文献】
【０００３】
【特許文献１】特開２０１４−２８５２８号公報
【発明の概要】
【発明が解決しようとする課題】
【０００４】
ところで、前記画像処理装置のユーザーが、前記条件メニュー画面を通じた前記設定条件の選択が制限された特別仕様の装置を要求する場合がある。例えば、前記特別仕様は、前記画像処理装置が備える複数のシートカセットの一部について、予め指定されたサイズ以外のシートサイズを選択できないことなどである。
【０００５】
従来、前記特別仕様の装置は、メーカーにおいて前記条件メニュー画面を前記表示装置に表示させるコンピュータープログラムがカスタマイズされることによって提供される。しかしながら、前記コンピュータープログラムをユーザーの要求に応じてカスタマイズすることは手間である。
【０００６】
本発明の目的は、条件メニュー画面を通じた設定条件の選択が制限された特別仕様へ容易にカスタマイズできる画像処理装置を提供することにある。
【課題を解決するための手段】
【０００７】
本発明の一の局面に係る画像処理装置は、操作装置と、表示装置と、条件選択部と、ジョブ処理装置と、モード制御部と、を備える。前記操作装置は、操作を受け付ける。前記表示装置は、情報を表示する。前記条件選択部は、動作モードが標準モードであるときに、それぞれ画像処理に関するジョブの条件の候補である複数の候補条件を含む第１条件メニュー画面を前記表示装置に表示させ、前記操作装置に対する操作に従って前記複数の候補条件の一部を設定条件として選択する。前記ジョブ処理装置は、前記設定条件に従って前記ジョブを実行する。前記モード制御部は、前記操作装置に対して予め定められたモード移行操作が行われた場合に、前記動作モードを前記標準モードから特別モードへ移行させる。前記特別モードにおいて、前記条件選択部は、前記第１条件メニュー画面と表示レイアウトが同じ前記複数の候補条件を含む第２条件メニュー画面を前記表示装置に表示させ、前記操作装置に対する操作に従って前記複数の候補条件の一部を無効条件として選択し、さらに選択された前記無効条件を不揮発性の条件記憶装置に記憶させる。前記標準モードにおいて、前記条件選択部は、前記条件記憶装置に記憶された前記無効条件を、前記設定条件として選択可能な対象から除外する。
【発明の効果】
【０００８】
本発明によれば、条件メニュー画面を通じた設定条件の選択が制限された特別仕様へ容易にカスタマイズできる画像処理装置を提供することが可能になる。
【図面の簡単な説明】
【０００９】
【図１】図１は、実施形態に係る画像処理装置の構成図である。
【図２】図２は、実施形態に係る画像処理装置におけるジョブ条件メニュー画面の一例を示す図である。
【図３】図３は、実施形態に係る画像処理装置における一部のプルダウンメニューが展開された状態のジョブ条件メニュー画面の一例を示す図である。
【図４】図４は、実施形態に係る画像処理装置における第１無効条件メニュー画面の一例を示す図である。
【図５】図５は、実施形態に係る画像処理装置における無効条件が設定された後のジョブ条件メニュー画面の一例を示す図である。
【図６】図６は、実施形態に係る画像処理装置における第２無効条件メニュー画面の一例を示す図である。
【発明を実施するための形態】
【００１０】
以下、添付図面を参照しながら、本発明の実施形態について説明する。なお、以下の実施形態は、本発明を具体化した一例であって、本発明の技術的範囲を限定するものではない。
【００１１】
［画像処理装置１０の構成］
実施形態に係る画像処理装置１０は、シート９に画像を形成する印刷ジョブ、原稿９０から画像を読み取る画像読取ジョブおよび前記画像読取ジョブと前記印刷ジョブとを併せて実行する複写ジョブなどの画像処理に関するジョブを実行する装置である（図１参照）。例えば、画像処理装置１０は、複写機または複写機能およびファクシミリ通信装置能を有する複合機などである。
【００１２】
図１に示されるように、画像処理装置１０は、画像読取装置１、画像形成装置２，制御装置８、操作装置８ａ、表示装置８ｂおよび通信装置８ｃなどを備える。
【００１３】
画像読取装置１は、前記画像読取ジョブを実行する装置である。画像読取装置１は、光源１１、イメージセンサー１２、第１走査機構１３および第２走査機構１４などを備える。
【００１４】
光源１１は、原稿９０に対して光を出射する。第１走査機構１３および第２走査機構１４は、光源１１の光を原稿９０に対して走査させる。第１走査機構１３は、光源１１を原稿台１５に沿って移動させることにより、光源１１の光を原稿台１５上の原稿９０に対して走査させる。
【００１５】
第２走査機構１４は、いわゆるＡＤＦ（Auto Document Feeder）である。第２走査機構１４は、原稿９０を予め定められた読取位置を通る原稿搬送路１６に沿って搬送することにより、前記読取位置へ向けて出射される光源１１の光を原稿９０に対して走査させる。
【００１６】
イメージセンサー１２は、原稿９０からの反射光を受光し、受光量の検出データを画像データとして出力する。
【００１７】
画像形成装置２は、前記印刷ジョブを実行する装置である。図１に示される画像形成装置２は、電子写真方式で前記印刷ジョブを実行する。画像形成装置２は、それぞれシート９を収容する複数のシートカセット２０、シート搬送機構３および印刷処理装置４０を備える。
【００１８】
印刷処理装置４０は、カラー印刷処理を実行可能なタンデム方式の装置である。印刷処理装置４０は、複数の作像装置４、光走査ユニット４６、転写装置４４および定着装置４７を備える。
【００１９】
シート搬送機構３は、複数のシートカセット２０のいずれかからシート９をシート搬送路３０へ送り出し、さらに、シート９を前記シート搬送路３０に沿って搬送する。
【００２０】
複数の作像装置４は、それぞれドラム状の感光体４１を備え、感光体４１の表面にそれぞれ異なる色のトナー像を形成する。作像装置４各々は、感光体４１に加え、帯電装置４２、現像装置４３、ドラムクリーニング装置４５などを備える。
【００２１】
帯電装置４２は、感光体４１の表面を帯電させる。光走査ユニット４６は、帯電した感光体４１の表面に静電潜像を書き込む。現像装置４３は、感光体４１上の前記静電潜像を前記トナー像へ現像する。
【００２２】
転写装置４４は、感光体４１の表面の前記トナー像を、シート搬送路３０に沿って搬送されるシート９に転写する。転写装置４４において、４つの一次転写装置４４ａが、４つの感光体４１の表面の前記トナー像を、回転する中間転写ベルト４４ｂの表面に転写する。さらに、二次転写装置４４ｃが、中間転写ベルト４４ｂ上の前記トナー像をシート９に転写する。
【００２３】
ドラムクリーニング装置４５は、感光体４１に残存するトナーを除去する。また、転写装置４４において、ベルトクリーニング装置４４ｄが、中間転写ベルト４４ｂに残存するトナーを除去する。
【００２４】
定着装置４７は、シート９に転写された前記トナー像を加熱することにより、前記トナー像をシート９に定着させる。
【００２５】
以上に示されるように、画像形成装置２は、それぞれシート９を収容可能な複数のシートカセット２０のいずれか１つからシート９を送り出し、送り出されたシート９に画像を形成する前記印刷ジョブを実行する。
【００２６】
なお、画像形成装置２が、インクジェット方式など、前記電子写真方式以外の方式で前記印刷ジョブを実行する装置であることも考えられる。
【００２７】
操作装置８ａは、ユーザーの操作を受け付ける装置であり、例えばタッチパネルを含む。表示装置８ｂは、情報を表示可能な液晶パネルなどの表示パネルを含む。
【００２８】
通信装置８ｃは、ネットワーク８０を通じて情報処理装置などの他装置との間で通信を行う通信インターフェイスデバイスである。制御装置８は、前記他装置との間のデータの送信および受信の全てを、通信装置８ｃを通じて行う。
【００２９】
制御装置８は、ＣＰＵ（Central Processing Unit）８１、主記憶装置８２および二次記憶装置８３などを含む。ＣＰＵ８１は、二次記憶装置８３などに予め記憶されたプログラムを実行することにより、各種の演算、データ処理および画像処理装置１０が備える電気機器の制御を実行する。
【００３０】
ＣＰＵ８１は、画像読取装置１、画像形成装置２、操作装置８ａ、表示装置８ｂおよび通信装置８ｃとの間でデータおよび制御信号の受け渡しが可能である。
【００３１】
例えば、ＣＰＵ８１は、認証プログラムＰｇ０を実行することにより、ユーザー認証処理を実行する。前記ユーザー認証処理は、予め二次記憶装置８３に記憶された登録ユーザー情報Ｄ０と操作装置８ａまたは他の情報入力装置を通じて入力される入力ユーザー情報とを照合し、それらが一致するか否かを判定する処理である。
【００３２】
さらに、認証プログラムＰｇ０を実行するＣＰＵ８１は、前記ユーザー認証処理が成功した場合にのみ、画像処理装置１０の利用を許容する。なお、二次記憶装置８３は、不揮発性の登録情報記憶装置の一例である。また、認証プログラムＰｇ０を実行するＣＰＵ８１は、ユーザー認証部の一例である。
【００３３】
また、ＣＰＵ８１は、操作装置８ａに対する読取開始操作に従って、画像読取装置１に前記画像読取ジョブを実行させる。さらに、ＣＰＵ８１は、操作装置８ａに対する複写開始操作に従って、画像読取装置１に前記画像読取ジョブを実行させるとともに、前記画像読取ジョブによって得られる画像データに基づく前記印刷ジョブを画像形成装置２に実行させる。
【００３４】
また、ＣＰＵ８１は、通信装置８ｃを通じて前記他装置から印刷データを受信し、受信した前記印刷データに基づく前記印刷ジョブを画像形成装置２に実行させる。ＣＰＵ８１は、ジョブ制御プログラムＰｇ１を実行することにより、各種のジョブを画像読取装置１および画像形成装置２の一方または両方に実行させる。ジョブ制御プログラムＰｇ１は、二次記憶装置８３に記憶されている（図１参照）。
【００３５】
ＣＰＵ８１は、予め複数の候補条件から選択された設定条件に従って、各種のジョブを画像読取装置１および画像形成装置２の一方または両方に実行させる。
【００３６】
また、ＣＰＵ８１は、ジョブ条件選択プログラムＰｇ２を実行することにより、操作装置８ａに対する操作に従って前記設定条件を選択するジョブ条件選択処理を実行する。ジョブ条件選択プログラムＰｇ２は、二次記憶装置８３に記憶されている（図１参照）。
【００３７】
前記ジョブ条件選択処理において、ＣＰＵ８１は、複数の候補条件を含むジョブ条件メニュー画面ｆ１を表示装置８ｂに表示させ、操作装置８ａに対する操作に従って前記設定条件を選択する（図２参照）。
【００３８】
図２に示されるジョブ条件メニュー画面ｆ１は、前記印刷ジョブに関する前記設定条件を選択するタッチパネル操作を受け付ける画面である。ジョブ条件メニュー画面ｆ１は、複数の設定項目ｆ０１と、複数の設定項目ｆ０１それぞれに対応する複数の条件選択メニューｆ０２と、確定操作アイコンｆ０３とを含む。
【００３９】
図２に示される例において、複数の設定項目ｆ０１は、カセット条件ｆ０１１、シート種類条件ｆ０１２、シートサイズ条件ｆ０１３、両面印刷条件ｆ０１４およびカラー・モノクロ条件ｆ０１５などを含む。
【００４０】
カセット条件ｆ０１１は、シート９の送出元を指定する条件である。シート種類条件ｆ０１２およびシートサイズ条件ｆ０１３は、それぞれカセット条件ｆ０１１において選択されたシートカセット２０に収容されるシート９の種類およびサイズを表す条件である。両面印刷条件ｆ０１４は、シート９の片面にのみ画像を形成するか、シート９の両面に画像を形成するかを指定する条件である。カラー・モノクロ条件ｆ０１５は、シート９にカラー画像およびモノクロ画像のいずれを形成するかを指定する条件である。
【００４１】
図２，３に示される例において、ジョブ条件メニュー画面ｆ１は、前記複数の候補条件を含むプルダウンメニューである。例えば、カセット条件ｆ０１１に対応する条件選択メニューｆ０２は、前記複数の候補条件として複数のカセット候補ｆ０２１を含む（図３参照）。複数のカセット候補ｆ０２１は、前記印刷ジョブにおけるシート９の送出元の候補である。また、シート種類条件ｆ０１２に対応する条件選択メニューｆ０２は、複数のシート種類候補ｆ０２２を含む。また、シートサイズ条件ｆ０１３に対応する条件選択メニューｆ０２は、前記複数の候補条件として複数のシートサイズ候補ｆ０２３を含む。
【００４２】
前記ジョブ条件選択処理において、ＣＰＵ８１は、確定操作アイコンｆ０３に対する操作に応じて、前記設定条件の選択を確定し、前記ジョブ条件選択処理を終了させる。
【００４３】
なお、複数のシート種類候補ｆ０２２および複数のシートサイズ候補ｆ０２３は、それぞれ複数の印刷関連条件の一例である。また、図２，３には示されていないが、ＣＰＵ８１は、操作装置８ａに対する操作に応じて、前記画像読取ジョブに関する前記設定条件を選択するためのジョブ条件メニュー画面ｆ１を表示装置８ｂに表示する処理も実行する。
【００４４】
画像読取装置１および画像形成装置２は、ジョブ条件メニュー画面ｆ１の表示に対応して選択された前記設定条件に従って前記画像読取ジョブおよび前記印刷ジョブを実行する。なお、画像読取装置１および画像形成装置２は、それぞれ画像処理に関するジョブを実行するジョブ処理装置の一例である。
【００４５】
画像処理装置１０が、画像が形成されたシート９に対する後処理に関するジョブを実行する後処理装置を含むことも考えられる。例えば、前記後処理装置は、シート９にパンチ孔を開ける孔開けジョブまたは複数のシート９を綴じるステープルジョブなどを実行する。
【００４６】
なお、ＤＳＰ（Digital Signal Processor）などの他のプロセッサーが、ＣＰＵ８１の代わりに前記ジョブの制御、前記設定条件の選択およびその他の処理を実行することも考えられる。
【００４７】
主記憶装置８２は、ＣＰＵ８１が実行する前記プログラムおよびＣＰＵ８１が前記プログラムを実行する過程で出力および参照するデータを一次記憶する記憶装置である。主記憶装置８２は、例えばＲＡＭ（Random Access Memory）などである。
【００４８】
二次記憶装置８３は、ＣＰＵ８１が参照するデータまたはプログラムを記憶する不揮発性のコンピューター読取可能な記憶装置である。例えば、二次記憶装置８３がフラッシュメモリーまたはハードディスクドライブなどであることが考えられる。
【００４９】
ところで、画像処理装置１０のユーザーが、ジョブ条件メニュー画面ｆ１を通じた前記設定条件の選択が制限された特別仕様の装置を要求する場合がある。例えば、前記特別仕様は、画像処理装置１０が備える複数のシートカセット２０の一部について、予め指定されたサイズ以外のシートサイズ候補ｆ０２３を選択できないことなどである。
【００５０】
従来、前記特別仕様の装置は、メーカーにおいてジョブ条件メニュー画面ｆ１を表示装置８ｂに表示させるジョブ条件選択プログラムＰｇ２がカスタマイズされることによって提供される。しかしながら、ジョブ条件選択プログラムＰｇ２を前記ユーザーの要求に応じてカスタマイズすることは手間である。
【００５１】
画像処理装置１０において、ＣＰＵ８１は、モード制御プログラムＰｇ３を実行することにより、モード移行処理を実行する。モード制御プログラムＰｇ３は二次記憶装置８３に記憶されている（図１参照）。前記モード移行処理は、操作装置８ａに対して予め定められたモード移行操作が行われた場合に、動作モードを標準モードから特別モードへ移行させる処理である。
【００５２】
なお、モード制御プログラムＰｇ３の実行によって前記モード移行処理を実行するＣＰＵ８１がモード制御部の一例である。
【００５３】
ＣＰＵ８１は、前記動作モードが前記標準モードである場合に、ジョブ条件選択プログラムＰｇ２を実行することにより、ジョブ条件メニュー画面ｆ１を表示装置８ｂに表示させつつ前記ジョブ条件選択処理を実行する。
【００５４】
一方、前記動作モードが前記特別モードである場合、ＣＰＵ８１は、制限条件選択プログラムＰｇ４を実行することにより、制限条件選択処理を実行する。制限条件選択プログラムＰｇ４は二次記憶装置８３に記憶されている（図１参照）。
【００５５】
前記制限条件選択処理において、ＣＰＵ８１は、例えば図４，６に示されるような制限条件メニュー画面ｆ２を表示装置８ｂに表示させる。制限条件メニュー画面ｆ２は、ジョブ条件メニュー画面ｆ１と表示レイアウトが同じ前記複数の候補条件を含む選択メニュー画面である。
【００５６】
なお、ジョブ条件メニュー画面ｆ１および制限条件メニュー画面ｆ２は、それぞれ第１条件メニュー画面および第２条件メニュー画面の一例である。
【００５７】
図４，６に示される例では、制限条件メニュー画面ｆ２は、ジョブ条件メニュー画面ｆ１と表示レイアウトが同じ前記複数の候補条件と、モード通知画像ｆ２０とを含む。モード通知画像ｆ２０は、前記動作モードが前記特別モードであることを示す画像である。
【００５８】
さらに、前記制限条件選択処理において、ＣＰＵ８１は、操作装置８ａに対する操作に従って前記複数の候補条件の一部を無効条件Ｄ１として選択する。さらに、ＣＰＵ８１は、操作装置８ａに対して確定操作アイコンｆ０３をタッチする操作が行われたときに、選択された無効条件Ｄ１を二次記憶装置８３に記憶させ、前記制限条件選択処理を終了させ（図１参照）。なお、二次記憶装置８３は不揮発性の条件記憶装置の一例である。
【００５９】
また、前記制限条件選択処理が終了すると、モード制御プログラムＰｇ３を実行するＣＰＵ８１は、前記動作モードを前記特別モードから前記標準モードへ移行させる。
【００６０】
例えば、前記特別モードでの前記制限条件選択処理において、ＣＰＵ８１は、複数のカセット候補ｆ０２１と複数のシート種類候補ｆ０２２および複数のシートサイズ候補ｆ０２３との組み合わせを、前記印刷ジョブに関する無効条件Ｄ１として選択する。
【００６１】
そして、ＣＰＵ８１は、前記標準モードでの前記ジョブ条件選択処理において、二次記憶装置８３に記憶された無効条件Ｄ１を、前記設定条件として選択可能な対象から除外する。
【００６２】
例えば、前記標準モードでの前記ジョブ条件選択処理において、ＣＰＵ８１は、無効条件Ｄ１がグレーアウトされたジョブ条件メニュー画面ｆ１を表示装置８ｂに表示させる（図５参照）。この場合、ＣＰＵ８１は、グレーアウトされた無効条件Ｄ１を、前記設定条件として選択可能な対象から除外する。
【００６３】
なお、ジョブ条件選択プログラムＰｇ２の実行によって前記ジョブ条件選択処理を実行するＣＰＵ８１、および、制限条件選択プログラムＰｇ４の実行によって前記制限条件選択処理を実行するＣＰＵ８１は、条件選択部の一例である。
【００６４】
また、前記標準モードでの前記ジョブ条件選択処理において、ＣＰＵ８１は、例えばカセット条件ｆ０１１、シート種類条件ｆ０１２、シートサイズ条件ｆ０１３、両面印刷条件ｆ０１４およびカラー・モノクロ条件ｆ０１５などの特定項目について、前記複数の候補条件から１つの前記設定条件のみを選択することを許容する。
【００６５】
一方、前記非制限選択モードおよび前記制限選択モードにおいて、ＣＰＵ８１は、前記特定項目について前記複数の候補条件から複数の前記設定条件を選択することを許容する（図６参照）。
【００６６】
本実施形態において、前記モード移行操作は、それぞれ予め定められた第１移行操作および第２移行操作を含む。例えば、前記第１移行操作および前記第２移行操作が、操作装置８ａが備える複数の操作キーを同時に長押しする操作のような特殊操作であることが考えられる。
【００６７】
前記モード移行処理において、ＣＰＵ８１は、操作装置８ａに対する前記第１移行操作に応じて、前記動作モードを前記標準モードから非制限選択モードへ移行させ、操作装置８ａに対する前記第２移行操作に応じて、前記動作モードを前記標準モードから制限選択モードへ移行させる。前記非制限選択モードおよび前記制限選択モードは、それぞれ第１特別モードおよび第２特別モードの一例である。
【００６８】
前記動作モードが前記非制限選択モードであるときに、ＣＰＵ８１は、前記動作モードが前記非制限選択モードであることを示す第１モード通知画像ｆ２１を含む制限条件メニュー画面ｆ２を表示装置８ｂに表示させる。一方、前記動作モードが前記制限選択モードであるときに、ＣＰＵ８１は、前記動作モードが前記制限選択モードであることを示す第２モード通知画像ｆ２２を含む制限条件メニュー画面ｆ２を表示装置８ｂに表示させる。
【００６９】
前記非制限選択モードにおいて、ＣＰＵ８１は、前記ジョブの条件の設定項目ｆ０１ごとに、操作装置８ａに対する選択操作によって選択されなかった非選択条件ｇ１２を無効条件Ｄ１として選択する（図４参照）。この場合、前記標準モードにおいて、ＣＰＵ８１は、前記ジョブの条件の設定項目ｆ０１ごとに、操作装置８ａに対する選択操作によって選択された選択条件ｇ１１のみを前記設定条件として選択可能とする。
【００７０】
前記非制限選択モードは、１つの設定項目ｆ０１に対応する前記複数の候補条件のうちの多数を無効条件Ｄ１として選択したい場合に、前記選択操作を簡略化できる。
【００７１】
一方、前記制限選択モードにおいて、ＣＰＵ８１は、前記ジョブの条件の設定項目ｆ０１ごとに、操作装置８ａに対する選択操作によって選択された選択条件ｇ１１を無効条件Ｄ１として選択する（図６参照）。この場合、前記標準モードにおいて、ＣＰＵ８１は、前記ジョブの条件の設定項目ｆ０１ごとに、操作装置８ａに対する選択操作によって選択されなかった非選択条件ｇ１２のみを前記設定条件として選択可能とする。
【００７２】
前記制限選択モードは、１つの設定項目ｆ０１に対応する前記複数の候補条件のうちの少数を無効条件Ｄ１として選択したい場合に、前記選択操作を簡略化できる。
【００７３】
なお、前記非制限選択モードおよび前記制限選択モードのいずれにおいても、ＣＰＵ８１は、前記選択操作が行われなかった設定項目ｆ０１については、無効条件Ｄ１を更新しない。
【００７４】
以上に示されるように、画像処理装置１０のユーザーは、ジョブ条件メニュー画面ｆ１をそのまま含む制限条件メニュー画面ｆ２を通じて、無効条件Ｄ１を設定することができる。無効条件Ｄ１の設定に、ジョブ条件選択プログラムＰｇ２のカスタマイズは不要である。さらに、前記ユーザーは、無効条件Ｄ１の設定のために専用のメニュー画面の操作を覚える必要がない。
【００７５】
従って、画像処理装置１０が採用されれば、ジョブ条件メニュー画面ｆ１を通じた前記設定条件の選択が制限された特別仕様の装置へのカスタマイズが容易である。
【００７６】
［第１応用例］
画像処理装置１０において、認証プログラムＰｇ０を実行するＣＰＵ８１は、前記ユーザー認証処理が成功した場合にのみ、前記標準モードでの前記ジョブ条件選択処理および前記ジョブの実行を許容する。
【００７７】
本応用例において、ＣＰＵ８１は、登録ユーザー情報Ｄ０に対応付けて無効条件Ｄ１を二次記憶装置８３に記憶させる。この処理は、前記特別モードにおいて、制限条件選択プログラムＰｇ４を実行するＣＰＵ８１によって実行される。ＣＰＵ８１は、成功した前記ユーザー認証処理に対応する登録ユーザー情報Ｄ０に対応付けて無効条件Ｄ１を二次記憶装置８３に記憶させる。
【００７８】
さらに、前記標準モードでの前記ジョブ条件選択処理において、ＣＰＵ８１は、成功した前記ユーザー認証処理に対応する登録ユーザー情報Ｄ０に対応付けられた無効条件Ｄ１を、前記設定条件として選択可能な対象から除外する。この処理は、ジョブ条件選択プログラムＰｇ２を実行するＣＰＵ８１によって実行される。
【００７９】
本応用例によれば、前記ユーザーごとに個別に前記設定条件の選択を制限することが可能になる。
【００８０】
［第２応用例］
前記標準モードでの前記ジョブ条件選択処理において、ＣＰＵ８１が、無効条件Ｄ１が空欄に置き換えられたジョブ条件メニュー画面ｆ１を表示装置８ｂに表示させることも考えられる。
【符号の説明】
【００８１】
１        ：画像読取装置
２        ：画像形成装置
３        ：シート搬送機構
４        ：作像装置
８        ：制御装置
８ａ      ：操作装置
８ｂ      ：表示装置
８ｃ      ：通信装置
９        ：シート
１０      ：画像処理装置
１１      ：光源
１２      ：イメージセンサー
１３      ：第１走査機構
１４      ：第２走査機構
１５      ：原稿台
１６      ：原稿搬送路
２０      ：シートカセット
３０      ：シート搬送路
４０      ：印刷処理装置
４１      ：感光体
４２      ：帯電装置
４３      ：現像装置
４４      ：転写装置
４４ａ    ：一次転写装置
４４ｂ    ：中間転写ベルト
４４ｃ    ：二次転写装置
４４ｄ    ：ベルトクリーニング装置
４５      ：ドラムクリーニング装置
４６      ：光走査ユニット
４７      ：定着装置
８０      ：ネットワーク
８１      ：ＣＰＵ
８２      ：主記憶装置
８３      ：二次記憶装置
９０      ：原稿
Ｄ０      ：登録ユーザー情報
Ｄ１      ：無効条件
Ｐｇ０    ：認証プログラム
Ｐｇ１    ：ジョブ制御プログラム
Ｐｇ２    ：ジョブ条件選択プログラム
Ｐｇ３    ：モード制御プログラム
Ｐｇ４    ：制限条件選択プログラム
ｆ０１    ：設定項目
ｆ０１１  ：カセット条件
ｆ０１２  ：シート種類条件
ｆ０１３  ：シートサイズ条件
ｆ０１４  ：両面印刷条件
ｆ０１５  ：モノクロ条件
ｆ０２    ：条件選択メニュー
ｆ０２１  ：カセット候補
ｆ０２２  ：シート種類候補
ｆ０２３  ：シートサイズ候補
ｆ０３    ：確定操作アイコン
ｆ１      ：ジョブ条件メニュー画面
ｆ２      ：制限条件メニュー画面
ｆ２０    ：モード通知画像
ｆ２１    ：第１モード通知画像
ｆ２２    ：第２モード通知画像
ｇ１１    ：選択条件
ｇ１２    ：非選択条件
【図１】
2019029822.tif 000003
【図２】
2019029822.tif 000004
【図３】
2019029822.tif 000005
【図４】
2019029822.tif 000006
【図５】
2019029822.tif 000007
【図６】
2019029822.tif 000008